(57)【要約】【課題】形状記憶フォームを用いた帽子の汗止め部及びそれを用いた帽子を提供する。【解決手段】本発明は、形状記憶フォームと、汗止めバンドとからなり、前記形状記憶フォームの一面または両面に前記汗止めバンドを配置してなる帽子の汗止め部であって、前記汗止め部に凹凸部を設けるように、該凹凸部に相応するプレスで圧着し、超音波付着によってフィット感を高め且つ皮膚への衝撃を緩衝することを特徴とする、形状記憶フォームを用いた帽子の汗止め部を提供する。【選択図】図２
2017014675.tif 000002
【特許請求の範囲】
【請求項１】
形状記憶フォームと、
汗止めバンドとからなり、
前記形状記憶フォームの一面または両面に前記汗止めバンドを配置してなる帽子の汗止め部であって、
前記汗止め部に凹凸部を設けるように、該凹凸部に相応するプレスで圧着し、超音波付着によってフィット感を高め且つ皮膚への衝撃を緩衝することを特徴とする、形状記憶フォームを用いた帽子の汗止め部。
【請求項２】
前記凹凸部は、帽子に結合する前記汗止め部の他面は平坦であり且つ前記汗止め部の一面は突出するように、凹凸に相応するプレスで圧着しながら突出部を構成することを特徴とする、請求項１に記載の形状記憶フォームを用いた帽子の汗止め部。
【請求項３】
前記凹凸部は、凹凸の程度によって、人体頭部の様々な大きさに合わせて帽子のサイズを調整する役割を果たすことを特徴とする、請求項１に記載の形状記憶フォームを用いた帽子の汗止め部。
【請求項４】
前記凹凸部の形状は頭部の圧力を容易に吸収することができるように構成することを特徴とする、請求項１に記載の形状記憶フォームを用いた帽子の汗止め部。
【請求項５】
前記形状記憶フォームを含む前記汗止め部は、帽子の一部または全体にわたって適用することにより、被り心地の良さを実現することを特徴とする、請求項１に記載の形状記憶フォームを用いた帽子の汗止め部。
【請求項６】
前記凹凸部の形状は帽子の内外部の空気の循環に有利な構造を持つことを特徴とする、請求項１に記載の形状記憶フォームを用いた帽子の汗止め部。
【請求項７】
請求項１〜６のいずれか１項に記載の汗止め部を適用したことを特徴とする帽子。
【発明の詳細な説明】
【技術分野】
【０００１】
人々が主に使用している布で作られた各種タイプの帽子には、必ず、汗を吸収し且つ頭部皮膚への衝撃を緩衝するための汗止め部が採用される。
【０００２】
本発明は、帽子の汗止め部を改良することにより、フィット感に優れ、且つ頭部の大きさに合わせて様々なサイズの規格をいずれも満足させることができる、フリーサイズの帽子を提供するためのものである。
【背景技術】
【０００３】
一般に、従来の帽子は、長時間着用していると、汗の臭いがするだけでなく、不便な感じがして、結果として頭痛を誘発する。
【０００４】
帽子を着用すると、頭部には熱が閉じ込められており、周囲の温度よりも頭部の熱は上がるようになっている。
【０００５】
これにより、多くの汗により不快な汗の臭いがするなどの問題点があった。
【０００６】
かかる問題点を解決するために、従来の技術では、図１に示すように、マイクロカプセル４、及びバイオセラミックコーティング層７を備えることを提案した。
【０００７】
ところが、依然として帽子の着用による不快感が存在している。しかも、帽子のサイズをあらゆる人に合わせることができないだけでなく、帽子のサイズに対する希望の程度が人と場合によって異なるなどの問題点があった。これにより、頭部の熱を冷ますことに制限があった。
【先行技術文献】
【特許文献】
【０００８】
【特許文献１】韓国公開特許第１０−２０１２−００６２４０２号公報
【特許文献２】韓国公開特許第１０−２００５−０１０８３３１号公報
【特許文献３】韓国登録特許第１０−０６６９４４０号公報
【発明の概要】
【発明が解決しようとする課題】
【０００９】
人々が主に使用している布で作られた各種タイプの帽子には、必ず、汗を吸収し且つ頭部皮膚への衝撃を緩衝するための汗止め部が採用される。このため、多様な機能の汗止め部が多く開発されている。例えば、汗の吸収だけでなく、汗の臭いも吸収することが可能な機能性素材を用いた汗止め部として、頭部に加えられる圧力を減らすことができるように伸びやすい弾性素材を用いて汗止め部を構成している。
【００１０】
ところが、依然として帽子の汗止め部の限界性により頭部が締め付けられるような感じが感情によって異なり、天気と気持ちによって人体が感じる帽子の大きさにも制限があり、これに加えて、汗が発散できないことによる多くの問題点もあった。これにより、頭部の圧力を容易に調節し且つサイズも自由自在にある程度調整するなどの帽子が求められてきた。
【課題を解決するための手段】
【００１１】
上記の課題を解決するために、本発明の形状記憶フォームを用いた帽子の汗止め部は、
形状記憶フォームと、
汗止めバンドとからなり、
前記形状記憶フォームの上下面の少なくとも一面に前記汗止めバンドを配置してなる帽子の汗止め部であって、
前記汗止め部に凹凸部を設けるように、前記凹凸部に相応するプレスで圧着し、超音波付着によってフィット感を高め且つ皮膚への衝撃を緩衝することを特徴とする。
【００１２】
また、前記凹凸部は、帽子に結合する汗止め部の他面は平坦であり且つ汗止め部の一面は突出するように、凹凸に相応するプレスで圧着しながら、超音波付着によって突出部を構成するようにする。
【００１３】
付加的な効果としては、前記凹凸部は、凹凸の程度によって、人体頭部の様々な大きさに合わせて帽子のサイズを調整することができる。
【００１４】
好ましくは、前記形状記憶フォームを含む前記汗止めバンドは、帽子の一部または全体にわたって適用することにより、被り心地の良さを極大化させるように構成する。
【００１５】
前記超音波で付着させたものを帽子の一部または全部にわたって縫製によって付着させる。
【００１６】
帽子の一部にわたって縫製で付着させることを説明すると、次のとおりである。
【００１７】
形状記憶フォームと汗止めバンドとを接着するために、前記形状記憶フォームの両面または一面に前記汗止めバンドを配置して構成された帽子の汗止め部であって、
前記汗止め部の中央部に凹凸部を設けるように、前記凹凸部に相応するプレスで圧着しながら、超音波付着によってフィット感を高め且つ皮膚への衝撃を緩衝するが、前記汗止めバンドの縁部は縫製によって付着させる。
【００１８】
また、前記形状記憶フォームと前記汗止めバンドとを一体化させるように縫製を行うことにより、フィット感を高め且つ皮膚への衝撃を緩衝することもできる。
【発明の効果】
【００１９】
本発明は、帽子着用の際に、形状記憶作用のある形状記憶フォームを用いることにより、様々な形の頭部に帽子を被り心地良く安着させることができてフィット感を極大化することができる。
【００２０】
また、本発明は、形状記憶フォームを帽子の汗止め部用として開発することにより、既存の帽子を着用する場合よりも、遥かに被り心地の良さを与えるという効果がある。
【図面の簡単な説明】
【００２１】
【図１】従来の技術を説明するための図。
【図２】形状記憶フォームを用いて本発明の汗止め部を製作する工程を説明するための図。
【図３】圧着プレスを利用して超音波加熱で接着した第１実施形態を示す図。
【図４】圧着プレスの形状を異ならせて超音波加熱で接着した第２実施形態を示す図。
【図５】図４の本発明の汗止め部を示す断面図。
【図６】帽子の一部に本発明の汗止め部を適用した状態図。
【図７】帽子の一部に本発明の汗止め部を適用した状態図。
【図８】帽子の全体に本発明の汗止め部を適用した状態図。
【発明を実施するための形態】
【００２２】
以下、添付図面に基づいて、本発明の好適な実施形態を説明する。
【００２３】
形状記憶フォームの一面に、既存の汗止めバンド（Ｓｗｅａｔ  Ｂａｎｄ）を付着させるか、或いは柔軟な布の中に入れ、すなわち両面に汗止めバンドを配置し、超音波接着で圧着することにより、汗止めバンドの長さに合わせてカスタムメイドする。当該製品を汗止め部の全体、或いは額が当接する箇所にのみ部分的に適用し、帽子の形や用途に応じて多様に具現化する。
【００２４】
その具体的な方法は、帽子の内側における額当接部分に汗止め部を縫製する。
【００２５】
一般な汗止め部とは異なり、汗止め部の内部に、頭部の形に沿って密着してフィット感に優れ且つ復元力が良い形状記憶フォームを挿入し、表地としてはクールマックスなどの様々な機能性素材を使用することにより、フィット感を高める。
【００２６】
図２乃至図４は汗止め部を製作する工程を示す。
【００２７】
図２は機能性素材の中に形状記憶フォームが挿入されているものを示す断面図である。
【００２８】
図３を参照すると、形状記憶フォームの両面または一面に汗止めバンドを配置してプレスで圧着すると同時に熱を加えることにより、黒色部分の上下布と形状記憶フォームとは圧着と同時に超音波接着されて薄く成形されるが、白色部分は、圧着されないため、上方に突出することになる。
【００２９】
図４は図３のものとは異なる実施形態のプレスの凹凸形状を示しもので、帽子の内外の空気の流れを円滑にし、凹凸の程度及び形状によって帽子のサイズをフリーサイズにすることができる。
【００３０】
凹凸の程度及び形状は必要によっていくらでも異ならせることができる。
【００３１】
図５は図４の断面図であって、形状記憶フォームの一面に汗止めバンドを配置して構成したことを示す図である。凹凸の形状は、 空気の流れを円滑にし、且つ額に快適な感覚を持たせるものであれば、いずれの形状であってもよい。
【００３２】
図６及び図７は、前述したように、本発明の汗止め部を、額を含む一部の当接部位にのみ制限的に適用した場合を示す。
【００３３】
消費者は、帽子着用の際に、額に当接する部分の快適さとクッション性を最も要求する。本発明に係る汗止め部を額の当接する部分に採用すると、卓越した効果がある。
【００３４】
図８は帽子の全体にわたって本発明の汗止め部を適用した場合を示す。これはフィット感を頭部全体にわたって感じることができるように被り心地の良さを極大化することができる。
【００３５】
図７に示すように、ＨａｔやＶｉｓｏｒなどの各種タイプの帽子にも本発明を適用することができる。
【００３６】
また、本発明は、汗止め部に凸部を設けてフィット感を極大化するだけでなく、帽子のサイズ調整機能を追加することができる。突出部分に形状記憶フォームが採用されることにより、頭部の圧力を容易に吸収して頭部の大きさに合わせて帽子のサイズを調整することができる。
【００３７】
次に、これについて図２〜図４を参照して具体的に説明する。
【００３８】
形状記憶フォーム３１０、及び汗止めバンド３２０、３３０からなり、前記形状記憶フォームの上下に前記汗止めバンドを配置して構成された帽子の汗止め部３００を、プレスで超音波加熱することにより、帽子の汗止め部が膨れ出すように形成するために、 汗止め部の凸部３４１はプレスにおける凹部に相当し、汗止め部の凹部３４２、３４３はプレスにおける凸部に相当する。図２に示したものを、プレスで超音波加熱して圧力を加えると、図３及び図４に示すような形状の汗止め部が得られる。形状記憶フォームの両面に汗止めバンドを配置している場合を図示したが、場合によっては形状記憶フォームの一面にのみ汗止めバンドを配置してもよい。
【００３９】
前記汗止め部３００に任意の凹凸部を設けてもよい。
【００４０】
額から熱を発散することができるように凸部３４１と凹部３４２とを交互に設けることにより、良好なフィット感だけでなく、頭部から熱を外部へ発散するなどの効果も得られるように構成する。
【００４１】
凹凸部の形状だけでなく、凸凹部のサイズも調節することができる。
【００４２】
以下、前記凹凸部に相応するプレスの凹凸を構成して圧着しながら、超音波付着によってフィット感を高め且つ皮膚層への衝撃を緩衝することを特徴とする、形状記憶フォームを用いた帽子の汗止め部の製作工程を説明する。
【００４３】
図５は形状記憶フォームの一面にのみ汗止めバンドを配置して付着させることを示す。
【００４４】
ここで、前記凹凸部は、帽子に結合する汗止め部の一面３４３は平坦であり且つ汗止め部の他面３４１は突出するように、凹凸に相応するプレスで圧着しながら、超音波付着によって突出部３４１を構成する。
【００４５】
前記凹凸部は、形状記憶フォームを用いるため、凹凸の程度によって、人体頭部の様々な大きさに合わせて帽子のサイズを調整する役割も果たす。
【００４６】
図６及び図７は帽子の一部である額に相当する部分にのみ本発明の汗止め部を適用した場合を示す。
【００４７】
帽子の着用による痛みを最も多く経験するところが額の部分であり、帽子のサイズが合うのかは額の部分で決定されるため、前記形状記憶フォームを含む前記汗止めバンドを額に相当する部分に配置した場合、十分な効果を発揮することができるのである。
【００４８】
この際、前記突出部の形状は頭部の圧力を容易に吸収することができるように構成する。汗をかかせないようにするために、帽子の内部の熱が容易に帽子の外に排出されるように構成する。突出部の突出程度によってサイズの調整が可能である。
【００４９】
すなわち、前記凹凸部の形状は、帽子の内外部の空気の循環に有利な構造を持つように構成する。
【００５０】
図８を参照すると、前記形状記憶フォームを含む前記汗止め部を、帽子の全体にわたって適用することにより、帽子の着用時に頭部全体にわたって被り心地の良さを極大化させた場合であり、これは、帽子の一部にのみ適用した場合よりも、突出程度によってさらに被り心地の良さ及びフリーサイズの程度の実現が可能である。
【００５１】
次に、これまでに説明した汗止めバンドと形状記憶フォームとを帽子の一部または全部にわたって縫着で締結する方法を説明する。
【００５２】
場合によって、プレス及び超音波で接着したり、縫着で帽子の一部または全部にわたって接着したりするのである。次に、縫着で帽子の一部に接着することを説明する。
【００５３】
形状記憶フォーム３１０の上下に汗止めバンド３２０、３３０を配置して構成した帽子の汗止め部の中央部に凹凸部３４１、３４２を構成するように、前記凹凸部に相応する形状のプレスで圧着しながら、超音波付着によってフィット感を高め且つ皮膚への衝撃を緩衝するが、前記汗止めバンドの縁部は縫着を行う。
【００５４】
すべて超音波接触をするのと同様に、前記凹凸部の形状は空気の循環に有利な構造を持つように構成する。
【００５５】
他の実施形態では、形状記憶フォームと汗止めバンドとを結合する上で全部にわたって縫着で付着させるのである。
【００５６】
形状記憶フォーム３１０と汗止めバンド３２０、３３０とを結合するが、前記形状記憶フォームの上下に前記汗止めバンドを配置して構成した帽子の汗止め部であって、この汗止め部の中央部に凹凸部を設け、前記形状記憶フォームと汗止めバンドとを一体化させるように縫着を行うことにより、フィット感を高め且つ皮膚への衝撃を緩衝するように構成する。
【符号の説明】
【００５７】
１    帽子
２    内側の下端周縁
３    汗止め部帯
４    マイクロカプセル
５    内皮
６    空間部
７    バイオセラミックコーティング層
３００    汗止め部
３１０    形状記憶フォーム
３２０、３３０  汗止めバンド
３４０    第１実施形態の汗止め部
３４１    凸部
３４２    凹部
３４３    平らな底部
３５０    第２実施形態の汗止め部
４００    汗止め部を適用した帽子
４１０    帽子の全体にわたって適用した汗止め部
４２０    帽子の一部に適用した汗止め部
【図１】
2017014675.tif 000003
【図２】
2017014675.tif 000004
【図３】
2017014675.tif 000005
【図４】
2017014675.tif 000006
【図５】
2017014675.tif 000007
【図６】
2017014675.tif 000008
【図７】
2017014675.tif 000009
【図８】
2017014675.tif 000010